(57)【要約】【課題】報知すべき内容を関係者の声で報知する。【解決手段】音声案内装置１が、センターサーバ５８からインターネット５７やゲートウェイ５０を介して電子メールを受信し、上記電子メールの内容に対応するテキストデータを音声内容データ記憶部に記憶させる。続いて、音声案内装置１の音声合成部において、解析部が上記テキストデータに対して言語データベースの情報を用いて言語解析を実行してテキスト合成データを作成するとともに、電子メールの送信者を認識する。その後、音声信号作成部が、解析部からのテキスト合成データ及びコンテキスト依存ＨＭＭからの声色データ及び口調データに基づいて音声信号データを作成する。最後に、報知部が上記音声信号データを再生し、電子メールの内容を送信者の声で報知する。【選択図】図１
2007171699.tif 000002
【特許請求の範囲】
【請求項１】
音声で報知すべき内容に対応する音声内容データを記憶する音声内容データ記憶手段と、
それぞれが、予め決められた人の声色に対応する複数の声色データを記憶する声色データ記憶手段と、
前記音声内容データ記憶手段から前記音声内容データを入力し、入力された音声内容データによって関係者を認識する関係者認識手段と、
前記関係者の声色データを前記声色データ記憶手段から入力し、前記音声内容データ及び前記関係者の声色データに基づいて音声信号データを作成する音声信号作成手段と、
前記音声信号データを再生して前記報知すべき内容を音声で報知する報知手段と
を備えることを特徴とする音声案内装置。
【請求項２】
前記音声内容データが、電子メールの内容に対応するテキストデータであり、
前記関係者認識手段で認識された前記関係者が、前記電子メールの送信者である
ことを特徴とする請求項１記載の音声案内装置。
【請求項３】
前記音声内容データが、複数のメンバーのスケジュールのそれぞれに対応するテキストデータであり、
前記関係者認識手段で認識された前記関係者が、前記スケジュールに対応するメンバーである
ことを特徴とする請求項１又は２記載の音声案内装置。
【請求項４】
前記報知すべき内容が記入される電子パネルを備え、
前記音声内容データが、前記電子パネルに記入された内容に対応するテキストデータであり、
前記関係者認識手段で認識された前記関係者が、前記電子パネルへの記入者である
ことを特徴とする請求項１〜３のいずれか記載の音声案内装置。
【発明の詳細な説明】
【技術分野】
【０００１】
本発明は、音声案内を報知する音声案内装置に関するものである。
【背景技術】
【０００２】
従来、この種の音声案内装置は、さまざまなシステムに組み込まれて用いられるものである。このようなシステムとして、例えば特許文献１には、それぞれが火災感知器と接続する複数の端末装置と、各端末装置と接続するセンタ装置（音声案内装置）とを備える異常報知システムが開示されている。上記特許文献１の異常報知システムにおいて、センタ装置は、各端末装置からの制御信号に対応する音声案内データを記憶する記憶部を備える。上記特許文献１の異常報知システムの動作について説明すると、まず、端末装置が火災感知器の検知に基づいて火災発生と確定した場合、センタ装置に制御信号を送信する。続いて、センタ装置が制御信号を受信すると、上記制御信号に対応する音声内容データを記憶部から読み出し、上記音声内容データに基づいて音声メッセージを報知する。
【特許文献１】特開２００４−１８５１５１号公報（第７頁及び第１〜３図）
【発明の開示】
【発明が解決しようとする課題】
【０００３】
しかしながら、上記従来の音声案内装置は、報知すべき内容を、その内容の関係者の声で報知することができないという問題があった。
【０００４】
本発明は上記の点に鑑みて為されたものであり、その目的とするところは、報知すべき内容を関係者の声で報知することができる音声案内装置を提供することにある。
【課題を解決するための手段】
【０００５】
請求項１に記載の発明は、音声で報知すべき内容に対応する音声内容データを記憶する音声内容データ記憶手段と、それぞれが、予め決められた人の声色に対応する複数の声色データを記憶する声色データ記憶手段と、前記音声内容データ記憶手段から前記音声内容データを入力し、入力された音声内容データによって関係者を認識する関係者認識手段と、前記関係者の声色データを前記声色データ記憶手段から入力し、前記音声内容データ及び前記関係者の声色データに基づいて音声信号データを作成する音声信号作成手段と、前記音声信号データを再生して前記報知すべき内容を音声で報知する報知手段とを備えることを特徴とする。
【０００６】
この構成では、報知すべき内容を関係者の声で報知することができる。
【０００７】
請求項２に記載の発明は、請求項１に記載の発明において、前記音声内容データが、電子メールの内容に対応するテキストデータであり、前記関係者認識手段で認識された前記関係者が、前記電子メールの送信者であることを特徴とする。この構成では、電子メールの内容を送信者の声で読み上げることができる。
【０００８】
請求項３に記載の発明は、請求項１又は２に記載の発明において、前記音声内容データが、複数のメンバーのスケジュールのそれぞれに対応するテキストデータであり、前記関係者認識手段で認識された前記関係者が、前記スケジュールに対応するメンバーであることを特徴とする。この構成では、複数のメンバーのスケジュールからあるメンバーのスケジュールを、そのメンバーの声で読み上げることができる。
【０００９】
請求項４に記載の発明は、請求項１〜３のいずれかに記載の発明において、前記報知すべき内容が記入される電子パネルを備え、前記音声内容データが、前記電子パネルに記入された内容に対応するテキストデータであり、前記関係者認識手段で認識された前記関係者が、前記電子パネルへの記入者であることを特徴とする。この構成では、他人に知らせたい内容がある場合、電子パネルを利用することによって、記入された内容を記入者の声で読み上げることができる。
【発明の効果】
【００１０】
本発明によれば、報知すべき内容を関係者の声で報知することができる。
【発明を実施するための最良の形態】
【００１１】
（実施形態１）
本発明の実施形態１について図１，２を用いて説明する。図１は、実施形態１のシステムの構成を示すブロック図である。図２は、実施形態１の音声案内装置の構成を示すブロック図である。
【００１２】
まず、実施形態１の基本的な構成について説明する。実施形態１のシステムは、図１に示すように、音声案内装置（親機）１を中心として、インターホン機能、住宅設備の制御監視機能又は防犯若しくは防災などのセキュリティ機能を統合したものである。
【００１３】
音声案内装置１は、接続部１０〜１７（図２参照）と、接点出力部１８（図２参照）とを備えている。上記接続部１０〜１７及び接点出力部１８を順に説明する。接続部１０は、カメラ付きのドアホン子器２０，２０やカメラなしのドアホン子器２１、付設している人感センサなどに連動して起動するセンサカメラ２２，２２、玄関ポーチなどに設けられる監視カメラ２３などと信号線１００を介して接続している。接続部１１は、呼出用押釦装置２４，２４、火災センサ２５、ガスセンサ２６、防犯センサ（防犯スイッチ）２７，２７、非常用押釦装置２８などのセキュリティセンサと接続している。接続部１２は、日本電機工業会の規格（ＪＥＭ−Ａ）を満たす空調機器３０や電気錠３１と制御線１２０を介して接続している。接続部１３は、警報報知用の増設ベル３２、増設スピーカ３３などと接続している。接続部１４は、必要に応じて宅内に設けられる副親機３４・・・，３５・・・と伝送線１４０を介して接続している。なお、各副親機３４には増設スピーカ３４１が接続されている。接続部１５は、汎用通信系のＲＳ４８５用である２線のバス１５０と接続している。接続部１６は、１０ＢＡＳＥ−Ｔのケーブル１６０と接続している。接続部１７は、一般の電話機３６をインターホンのハンドセットとして使用可能とするドアホンアダプタ３７と各ドアホン子器２０，２１との間の通話音声を通す通話線１７０と接続している。接点出力部１８は、異常発生時などに通報出力を自動通報機３８に送るためのものである。
【００１４】
続いて、音声案内装置１の接続部１５（図２参照）とバス１５０を介して接続している機器について説明する。上記機器として、ワイヤレスデータ出力受信機４０、ワイヤレスデータ入力送信機４１、照明マスタリモコン４２、電気錠操作器４３、計量情報盤４４及びユニット４５などがある。ワイヤレスデータ出力受信機４０及びワイヤレスデータ入力送信機４１は、セキュリティ機器の端末として小電力無線を利用するものである。ワイヤレスデータ出力受信機４０は、窓の開閉を監視する防犯センサ４００、門扉や塀からの侵入者の監視を行う防犯センサ４０１、家人が携行して非常時に操作する携帯用コール釦装置４０２、適所に配置されるコール釦装置４０３、及びシステム全体に設置される防犯・防災系のセンサ類の検知を有効とする警戒状態のセットとそのリセットの信号を無線電波で送信する警戒セット／リセット操作器４０４からの電波信号を受信し、受信された検知や操作の情報をバス１５０を通じて音声案内装置１に送信する。一方、ワイヤレスデータ入力送信機４１は、警戒セット／リセット操作器４０４の操作に対するアンサーバック（確認）信号を、音声案内装置１による警戒セット／リセット設定機能の下で警戒セット／リセット操作器４０４に送信する。
【００１５】
照明マスタリモコン４２は、操作したい照明器具４２０の識別データ及び操作内容を示す制御情報を音声案内装置１から受信すると、無線電波によって制御情報を照明サテライトリモコン４２１に送信する。照明サテライトリモコン４２１は、照明マスタリモコン４２からの制御情報を受信し、制御情報に含まれる識別データが予め登録されている識別データと一致したときに制御情報に対応する制御信号を赤外線によって照明器具４２０に送信するとともに、返信信号を無線電波によって照明マスタリモコン４２に送信する。このとき、照明マスタリモコン４２は、返信信号を受信すると、動作確認情報を所定形式の信号に変換して音声案内装置１に送信する。
【００１６】
電気錠操作器４３は、電波などを用いた非接触式のカードキー４３１に対応するもので、電気錠４３０の施錠／解錠の操作と開戸／閉戸の監視とを行う。また、計量情報盤４４は、ガスメータ４４０、水道メータ４４１及び電力メータ４４２からの計量情報を受け取る。さらに、ユニット４５は、バス１５０と電力線４５０との間に介在接続され、電力線搬送の信号によって監視／制御用の端末を内蔵した各種機器（例えば照明器具４５１、分電盤４５２、電気錠４５３、その他設備４５４など）を制御するために、バス１５０を通じて送受する信号と電力線搬送用信号との間のプロトコル変換を行う。
【００１７】
次に、音声案内装置１の接点出力部１８（図２参照）と接続している自動通報機３８について説明する。自動通報機３８は、接点出力部１８の接点出力が入力されると、公衆回線５６を介して、電話番号が予め登録されている電話機（一般電話機、携帯電話機のいずれでもよい）（図示せず）に対して、異常が発生したことを音声で自動通報する。また、自動通報機３８は、ドアホン転送機能付きの電話機３６を用いて各ドアホン子器２０，２１との間、又はドアトークターミナル３８０を介してワイヤレス子器３８１との間で通話を行う系を設けて、電話番号が予め登録されている電話機（図示せず）に来客の呼び出しを転送する機能を有する。
【００１８】
続いて、音声案内装置１の接続部１６（図２参照）とケーブル１６０を介して接続しているゲートウェイ５０について説明する。ゲートウェイ５０は、ファイヤーウォール機能、Ｗｅｂサーバ機能及びプロトコル変換機能を有する。Ｗｅｂサーバ機能は、宅内ＬＡＮ及びインターネット関連機能の設定を音声案内装置１に搭載しているＷｅｂブラウザで行うためのＷｅｂページを音声案内装置１に提供する機能である。一方、ファイヤーウォール機能は、だれかがインターネット５７を通じて不法に実施形態１のシステムに侵入するのを防止する機能である。上記ゲートウェイ５０によって、実施形態１のシステムでは、宅内ＬＡＮやインターネット５７に接続することができる。また、ゲートウェイ５０での宅内ＬＡＮ及びインターネット５７との間のデータの授受についての制御は、音声案内装置１からバス１５０を介して行われる。
【００１９】
上記宅内ＬＡＮには、パーソナルコンピュータ５１や、カメラ機能を有するＷｅｂカメラ５２，５２がハブ５３を通じて接続されている。また、宅内ＬＡＮは、ルータ機能を有するＡＤＳＬモデム５４及びスプリッタ５５を通じて公衆回線５６からＡＤＳＬによってインターネット５７に接続されている。一方、インターネット５７には、実施形態１のシステムに対するサービス提供者のセンターサーバ５８が接続され、実施形態１のシステムは上記センターサーバ５８を通じて各種サービスを受けることができる。ここで、各Ｗｅｂカメラ５２は、画像及び音声のデータを宅内ＬＡＮやインターネット５７などのＩＰネットワークを通じて音声案内装置１やセンターサーバ５８に伝送する。そして、音声案内装置１やセンターサーバ５８では、各Ｗｅｂカメラ５２から受け取った画像及び音声のデータをＷｅｂブラウザによってモニタ装置８３などの画面に表示してユーザに提示する。なお、インターネット５７への接続はＣＡＴＶ網やその他の通信網を通じて行うようにしてもよい。
【００２０】
一方、音声案内装置１は、図２に示すように、接続部１０〜１７及び接点出力部１８とともに、ＣＰＵ部６０と、ＲＳ４８５用のインターフェース部６１と、１０ＢＡＳＥ−Ｔ用のインターフェース部６２と、フラッシュＲＯＭ６３と、ＲＡＭ６４と、Ｉ／Ｆ回路６５，６５と、Ｉ／Ｏポート６６，６７とを備えている。ＣＰＵ部６０は、音声案内装置１の全体の信号処理・制御を担う。ＲＳ４８５用のインターフェース部６１は、接続部１５と内部バス６８の間に設けられ、バス１５０（図１参照）に接続されている各種端末（図１参照）とＣＰＵ部６０の間で制御・監視の情報の授受をＲＳ４８５を用いて行っている。１０ＢＡＳＥ−Ｔ用のインターフェース部６２は、ケーブル１６０（図１参照）に接続されているゲートウェイ５０（図１参照）とＣＰＵ部６０の間で情報の授受ができるように内部バス６８と接続部１６の間に設けられている。フラッシュＲＯＭ６３は、録画や録音、各種データを記憶する記憶手段である。ＲＡＭ６４は、ワークエリアやデータを一時格納するものである。Ｉ／Ｆ回路６５は、接続部１２に制御線１２０（図１参照）を通じて接続されている空調機器３０や電気錠３１（図１参照）に対して制御信号の送信又は動作モニタ信号の受信を行う。Ｉ／Ｏポート６６は、内部バス６８を通じてＣＰＵ部６０から受け取った制御信号を各Ｉ／Ｆ回路６５に送るとともに、各Ｉ／Ｆ回路６５から受け取った動作モニタ信号を内部バス６８を通じてＣＰＵ部６０に送るためのものである。また、上記Ｉ／Ｏポート６６は、ＣＰＵ部６０からの制御信号に基づいて接点出力部１８をオンさせて接点出力を自動通報機３８に送る。Ｉ／Ｏポート６７は、接続部１１に接続されている各種センサ及びスイッチ類（図１参照）とＣＰＵ部６０の間で内部バス６８を介して通信を行うためのものである。
【００２１】
また、音声案内装置１は、ドアホン呼出検出回路７０と、セレクタ回路７１と、ビデオ復調回路７２ａと、ビデオコンバータ７２ｂと、グラフィックス生成回路７２ｃと、ビデオコンバータ７２ｄと、ビデオ変調回路７２ｅと、通話処理回路７３と、制御コマンドＩ／Ｆ回路７４と、結合部７５と、音声処理回路７６と、アンプ７７と、マイク７８とを備えている。ドアホン呼出検出回路７０は、各接続部１０を通じて各ドアホン子器２０，２１（図１参照）から送られてくる呼出信号を検出し、その検出信号をＣＰＵ部６０に出力する。セレクタ回路７１は、各接続部１０を通じて各ドアホン子器２０，２１（図１参照）から周波数多重化によって送られてくる音声信号、映像信号、又はセンサカメラ２２や監視カメラ２３（図１参照）の映像信号をＣＰＵ部６０の制御の下で選択する。
【００２２】
ビデオ復調回路７２ａは、セレクタ回路７１を通じて取り込まれたＦＭ変調されている映像信号を復調する。ビデオコンバータ７２ｂは、復調されたアナログの映像信号をデジタル画像データにコンバートする。グラフィックス生成回路７２ｃは、ビデオコンバータ７２ｂからの画像データの所定位置に付加して表示したり、単独で表示するためのグラフィックデータを生成し、ビデオコンバータ７２ｂからの画像データと合成したり、ビデオコンバータ７２ｂからの画像データの画質補正やエフェクト処理を行うなどして、液晶ディスプレイのモニタ装置８３（図１参照）及び各副親機３４のモニタ装置３４０（図１参照）で映し出すための画像データを生成する。ビデオコンバータ７２ｄは、グラフィックス生成回路７２ｃからの画像データをアナログの映像信号にコンバートする。ビデオ変調回路７２ｅは、ビデオコンバータ７２ｄの映像信号をＦＭ変調して送出する。通話処理回路７３は、セレクタ回路７１を介して取り込んだ各ドアホン子器２０，２１（図１参照）からの音声信号を取り込んで、各副親機３４，３５（図１参照）に送出する処理及び各副親機３４，３５からの音声信号を取り込んで各ドアホン子器２０，２１に送出する処理をＣＰＵ部６０の制御の下で行う。制御コマンドＩ／Ｆ回路７４は、各副親機３４，３５から周波数多重化によって送出されるＦＳＫ信号によって構成された制御信号から操作情報である制御コマンドを抽出してＣＰＵ部６０へ受け渡すとともに、ＣＰＵ部６０で生成された制御コマンド（制御情報）を各副親機３４，３５に制御信号として送出する。結合部７５は、ビデオ変調回路７２ｅからの映像信号と各ドアホン子器２０，２１の音声信号とを接続部１４を通じて伝送線１４０（図１参照）に送出させ、また各副親機３４からの音声信号を抽出するためのものである。音声処理回路７６は、各ドアホン子器２０，２１との通話や各副親機３４，３５との通話が可能となるようにハンズフリーの通話制御を行う。
【００２３】
さらに、音声案内装置１は、タッチパネル（電子パネル）８０と、タッチパネルコントローラ８１と、操作表示部８２とを備えている。タッチパネル８０は、各種操作を可能とするようにモニタ装置８３（図１参照）の表示画面上に設けられ、ユーザによって、報知すべき内容が記入されるものである。上記タッチパネル８０には、記入者を選択する選択ボタン（図示せず）が設けられている。タッチパネルコントローラ８１は、操作座標情報の取り込みなどを行う。操作表示部８２は、タッチパネル８０以外に各種操作釦と表示素子とを備え、操作情報がＣＰＵ部６０によって取り込まれる。
【００２４】
このような音声案内装置１は、さらに、音声内容データ記憶部９０と、音声合成部９１と、報知部９２とを備えている。上記音声案内装置１は、音声変換ソフトウェアであるテキスト音声合成ソフトウェアを用いて、ＨＭＭ（Ｈｉｄｄｅｎ  Ｍａｒｋｏｖ  Ｍｏｄｅｌ）音声合成方式で、報知すべき内容を音声で報知する。なお、音声案内装置１の音声合成方式は、ＨＭＭ音声合成方式に限定されるものではなく、例えば波形接続方式など他の音声合成方式であってもよい。
【００２５】
音声内容データ記憶部９０は、音声で報知すべき内容に対応する音声内容データを記憶する。具体的には、音声内容データ記憶部９０は、センターサーバ５８（図１参照）からインターネット５７や公衆回線５６、ゲートウェイ５０（図１参照）を介して電子メールを受信し、受信された電子メールの内容に対応するテキストデータ（電子メールデータ）を音声内容データとして記憶する。また、音声内容データ記憶部９０は、タッチパネル８０に記入されることによって作成される複数のメンバーのスケジュールのそれぞれに対応するテキストデータ（スケジュールデータ）を音声案内データとして記憶する。さらに、音声内容データ記憶部９０は、上記スケジュールの他にも、タッチパネル８０に記入された内容が文字認識によってテキスト化されたテキストデータ（電子パネルデータ）を音声内容データとして記憶する。
【００２６】
音声合成部９１は、言語データベース９１０と、解析部９１１と、コンテキスト依存ＨＭＭ９１２と、音声信号作成部９１３とを備えている。
【００２７】
言語データベース９１０は、例えば、報知すべき内容から、適した口調を判別する手段として、単語と口調の関係を辞書に予め登録している。例えば、予め「防犯：警告口調」、「異常：警告口調」というように単語と口調の関係を登録している。
【００２８】
解析部９１１は、音声内容データ記憶部９０からＣＰＵ部６０を介してテキストデータを入力し、入力されたテキストデータによって関係者を認識する関係者認識手段である。解析部９１１で認識される関係者とは、電子メールの送信者、スケジュールに対応するメンバー、タッチパネル８０への記入者などである。例えばタッチパネル８０に記入された内容に対応するテキストデータを入力した場合、解析部９１１は、記入者の筆跡、タッチパネル８０の選択ボタン（図示せず）、タッチパネル８０に記入されたサイン（署名）などによって記入者を特定する。また、解析部９１１は、入力されたテキストデータに対して言語データベース９１０の情報を用いて言語解析を実行してテキスト合成データ（中間ファイル）を作成する。上記テキスト合成データは、読み、アクセント、品詞、ポーズなどの情報とともに口調の情報がテキスト化されている。
【００２９】
コンテキスト依存ＨＭＭ９１２は、それぞれが、予め決められた人の声色に対応する複数の声色データを記憶する声色データ記憶手段である。また、コンテキスト依存ＨＭＭ９１２は、音声案内の口調に関する複数の口調データも記憶している。具体的には、コンテキスト依存ＨＭＭ９１２は、例えば、「明るい」、「警告」、「優しい」などを表現する口調の特徴が圧縮されたパラメータ（ＨＭＭなど）である口調データを記憶している。各口調データは、アナウンサーが各方言に合わせて実際に発声して作成された音声データに基づいて作成されたものである。上記コンテキスト依存ＨＭＭ９１２は、必要な声色データ及び口調データをＣＰＵ部６０を介して音声信号作成部９１３に出力する。
【００３０】
音声信号作成部９１３は、関係者の声色データ及び口調データをＣＰＵ部６０を介してコンテキスト依存ＨＭＭ９１２から入力し、解析部９１１からのテキスト合成データ及び関係者の声色データに基づいて音声信号データを作成する。
【００３１】
一方、報知部９２は、Ｄ／Ａ変換部９２０と、アンプ９２１と、スピーカ９２２とを備えている。Ｄ／Ａ変換部９２０は、音声信号作成部９１３で作成された音声信号データをアナログ音声信号に変換する。アンプ９２１は、上記アナログ音声信号を増幅する。スピーカ９２２は、増幅されたアナログ音声信号を再生して、報知すべき内容を音声で報知する。
【００３２】
次に、実施形態１の音声案内装置１が電子メールの内容を報知する場合について図１，２を用いて説明する。まず、音声案内装置１が、図１に示すように、センターサーバ５８からインターネット５７やゲートウェイ５０を介して電子メールを受信し、図２に示すように、上記電子メールの内容に対応するテキストデータを音声内容データ記憶部９０に記憶させる。続いて、音声案内装置１の音声合成部９１において、解析部９１１が上記テキストデータに対して言語データベース９１０の情報を用いて言語解析を実行してテキスト合成データを作成するとともに、電子メールの送信者を認識する。その後、音声信号作成部９１３が、解析部９１１からのテキスト合成データ及びコンテキスト依存ＨＭＭ９１２からの声色データ及び口調データに基づいて音声信号データを作成する。最後に、報知部９２が上記音声信号データを再生し、電子メールの内容を送信者の声で報知する。
【００３３】
続いて、実施形態１の音声案内装置１がスケジュールの内容を報知する場合について図２を用いて説明する。例えば家族でスケジュールを作成しているとする。まず、家族のうちの一人（家人）がタッチパネル８０によって自分のスケジュールを記入する。ＣＰＵ部６０が、タッチパネル８０からのスケジュールの内容に対応するテキストデータを音声内容データ記憶部９０に記憶させる。続いて、解析部９１１が、テキスト合成データを作成するとともに、スケジュールに対応する家人を認識する。その後、音声信号作成部９１３が音声信号データを作成する。最後に、報知部９２が上記音声信号データを再生し、タッチパネル８０への記入者である家人の声でスケジュールの内容を報知する。
【００３４】
以上、実施形態１によれば、報知すべき内容を関係者の声で報知することができる。具体的には、電子メールの内容を送信者の声で読み上げる（報知する）ことができる。また、複数のメンバーのスケジュールからあるメンバーのスケジュールを、そのメンバーの声で読み上げる（報知する）ことができる。さらに、他人に知らせたい内容がある場合、タッチパネル８０を利用することによって、記入された内容を記入者の声で読み上げる（報知する）ことができる。
【００３５】
なお、実施形態１の変形例として、スケジュールの入力方法は、音声案内装置に備えられているタッチパネルから入力する方法に代えて、音声案内装置と接続する外部機器から入力する方法であってもよい。このような入力方法にしても、実施形態１と同様の効果を奏する。
【００３６】
（実施形態２）
本発明の実施形態２について図３を用いて説明する。図３は、実施形態２のシステムの構成を示すブロック図である。
【００３７】
実施形態２のシステムは、住宅設備を対象としたものであり、図３に示すように、インターホン室内機（音声案内装置）１ａと、窓センサ２９と、センターサーバ５８ａとを備え、インターホン室内機１ａ、窓センサ２９及びセンターサーバ５８ａ間の通信方式としてＥＭＩＴ（Ｅｍｂｅｄｄｅｄ  Ｍｉｃｒｏ  Ｉｎｔｅｒｎｅｔｗｏｒｋｉｎｇ  Ｔｅｃｈｎｏｌｏｇｙ）技術を用いている。
【００３８】
インターホン室内機１ａは、報知部９２と、テキスト音声合成ソフトウェア９３と、ＥＭＩＴ通信ソフト９４とを備えている。上記インターホン室内機１ａは、複数の声色データ及び複数の口調データを記憶している。また、窓センサ２９は、検知部２９０と、アプリケーション２９１と、ＥＭＩＴ通信ソフト２９２とを備えている。さらに、センターサーバ５８ａは、アプリケーション５８０と、ＥＭＩＴ通信ソフト５８１とを備えている。
【００３９】
実施形態２のシステムにおいて、窓センサ２９が新規に宅内に追加されると、センターサーバ５８ａは、ＥＭＩＴ技術を用いて、インターネット（宅外インターネット）５７を介して上記窓センサ２９のネットワーク２９３との接続をアプリケーション５８０によってＥＭＩＴ通信ソフト５８１を介して自動的に検出する（コンフィギュレーションの自動検出）。これにより、窓センサ２９は、インターホン室内機１ａ及びセンターサーバ５８ａとのＰｅｅｒ−ｔｏ−ｐｅｅｒ通信を行う状態になる。
【００４０】
次に、実施形態２の音声案内装置１ａが電子メールの内容を報知する場合について図３を用いて説明する。まず、音声案内装置１ａが、センターサーバ５８ａからインターネット５７、ＥＭＩＴ通信ソフト９４を介して電子メールを受信し、上記電子メールの内容に対応するテキストデータをアプリケーション２９１に記憶させる。続いて、インターホン室内機１ａのテキスト音声合成ソフトウェア９３が、ＥＭＩＴ通信ソフト９４を介して受信された電子メール、声色データ及び口調データに基づいて音声信号データを作成する。最後に、報知部９２が音声信号データを再生して、電子メールの内容を送信者の声で報知する。
【００４１】
以上、実施形態２によれば、ＥＭＩＴ技術を用いて音声による報知を行うことができる。
【図面の簡単な説明】
【００４２】
【図１】本発明による実施形態１のシステムの構成を示すブロック図である。
【図２】同上の音声案内装置の構成を示すブロック図である。
【図３】本発明による実施形態２のシステムの構成を示すブロック図である。
【符号の説明】
【００４３】
１  音声案内装置
５０  ゲートウェイ
５７  インターネット
５８  センターサーバ
【図１】
2007171699.tif 000003
【図２】
2007171699.tif 000004
【図３】
2007171699.tif 000005